(57)【特許請求の範囲】
【請求項１】
トラフの開口部を開閉するゲートを開けて、沈殿池に発生したスカムをその沈殿池内の水に同伴させて前記トラフに流入させて排出するようにしたスカム除去装置において、
前記ゲートの先端における前記沈殿池の水面に対する高さが前記ゲートの全長に渡って等しくなるように、前記トラフの前記水面に対する設置高さを調整する手段を設けたこと、
前記トラフの設置高さを調整する手段は、前記トラフの上部の前後左右の４カ所に設けられ、沈殿池の上方に設けられたフレームに貫通されたボルトと、前記フレームの上側と下側において前記ボルトに螺合されたナットとからなり、そのナットの螺合位置の調整により前記ボルトの前記フレームに対する固定位置を変更可能なものであること、
を特徴とするスカム除去装置。
【請求項２】
沈殿池の壁面に、トラフの背面を支持する支持片を設け、その支持片に設けてある縦長孔にトラフの背面に突設されたねじ棒を相対的に上下動可能に挿通し、そのねじ棒にナットを螺合して前記トラフを前記支持片に固定してあることを特徴とする請求項１に記載のスカム除去装置。
【発明の詳細な説明】
【０００１】
【発明の属する技術分野】
本発明は、ゲートを開けて沈殿池に発生したスカムをトラフ内に流入させて排出するようにしたスカム除去装置に関する。
【０００２】
【従来の技術】
従来、下水処理場等の沈殿池に設けられているスカム除去装置は、スカムがスクレーパでトラフに向けて掻寄せられてきたときに、そのトラフのゲートを所定の水深に沈下するまで開けて、スカムをトラフへ流入する水に同伴させてトラフ内に導入するように構成されている。また、トラフの底面には、導入されたスカムが一方側に流出して排出されるように所定の傾斜角が設けられている。
【０００３】
【発明が解決しようとする課題】
上述のように、沈殿池のスカムは、トラフ内に流入する水に同伴して排出されるので、スカムをトラフ内に効果的に流入させるためには、沈殿池の水面と開けられたゲートの先端辺で形成される越流壁面とが平行状態に保たれて、越流水深がゲートの全長に渡って一定していることが必要である。
【０００４】
しかしながら、沈殿池は長時間の使用により、又は、沈殿池の改修や保守作業により、沈殿池から水を抜いた後に再度水を張ったとき、沈殿池本体のレベルが元の状態と異なることがある。この場合は、沈殿池本体に対するトラフの設置位置を変更する必要が生じる。
【０００５】
殊に、下水処理場の沈殿池は、埋立地のような地盤の軟弱な所に設置されることが多いため、沈殿池本体に傾きが生じやすく、このような傾きが生じたときは、トラフの越流水深をゲートの全長に渡って一定状態となるように、大掛かりな設置変更作業を必要としていた。また、流入下水道の増設や天候により、沈殿池の水位変動に対応する必要が生じる。
【０００６】
そこで、本発明は、上記欠点を解決するためになされたものであって、その目的は、沈殿池本体に傾きが生じたときや水位変動が生じた場合に、簡単にこれに対応できるようにしたスカム除去装置を提供することにある。
【０００７】
【課題を解決するための手段】
本発明は、上記目的を達成するために、トラフの開口部を開閉するゲートを開けて、沈殿池に発生したスカムをその沈殿池内の水に同伴させて前記トラフに流入させて排出するようにしたスカム除去装置において、前記ゲートの先端における前記沈殿池の水面に対する高さが前記ゲートの全長に渡って等しくなるように、前記トラフの前記水面に対する設置高さを調整する手段を設けたこと、そのトラフの設置高さを調整する手段は、トラフの上部の前後左右の４カ所に設けられ、沈殿池の上方に設けられたフレームに貫通されたボルトと、前記フレームの上側と下側において前記ボルトに螺合されたナットとからなり、そのナットの螺合位置の調整により前記ボルトの前記フレームに対する固定位置を変更可能なものであることを特徴としている。
本発明は、また、上記目的を達成するために、上記スカム除去装置において、沈殿池の壁面に、トラフの背面を支持する支持片を設け、前記支持片に設けられている縦長孔にトラフの背面に突設されたねじ棒を相対的に上下動可能に挿通し、そのねじ棒にナットを螺合して前記トラフを前記支持片に固定してあることを特徴としている。
【０００８】
【発明の実施の形態】
以下、本発明の実施の形態を図面に基づいて説明する。図１は、一実施の形態に係るスカム除去装置の概略構成図、図２は、図１のＡ−Ａ線断面図である。
【０００９】
トラフ１は、沈殿池ａに設置された状態を縦断面した状態で示されている。そして、このトラフ１は、図１及び２に示されるように、その上部の前後左右の４カ所において、ボルトＢが設けられ、各ボルトに上下のナットＮが螺合されている。そして、トラフ１は、沈殿池ａに設けられているフレームＦに、ボルトＢ及びナットＮを介して垂下して取付けられている。前後左右のボルト・ナットにより、トラフ１は安定性を保つように工夫されている。なお、ここでは、１本のボルトＢに対してフレームＦの下側にもナットＮが設けられているが、これは、トラフ１の固定を安定化するためのものである。
トラフ１の高さ調整を行う場合、トラフ１を上昇させるには、先ず、下側のナットＮを緩めて下方に移動した後、上側のナットＮを回してボルトをフレームに対して引き上げる。また、トラフ１を下降させるには、先ず、上側のナットＮを緩めてボルトをフレームに対して下方に移動させた後、下側のナットＮを回して上方に移動させて固定する。
【００１０】
図１中、２は、沈殿池１の側壁面ａ′に設けられたＬ字状の支持片であって、先端の垂直片には縦長孔３ａが設けられている。トラフ１の背面（後述するトラフ１の開口部の設けられている面と反対側の面）１′に設けられているねじ棒ｂをその縦長孔３ａに相対的に上下動可能に挿入できる。そして、その縦長孔３ａから突出したねじ棒ｂにナットｎを螺合することにより、トラフ１を側壁面ａ′に対して固定することができる。
【００１１】
ゲート３は、トラフ１の開口部１ａに設けられていて、図１の実線で示されるように、ゲート３の下部の支点３ａを中心にして駆動機構（図示せず）により回動したとき、すなわち、ゲート３が閉じたときに、そのゲート３の先端３ａが沈殿池ａの水面ＷＬより上側に位置することができ、また、鎖線で示されるように、先端３ａが水面ＷＬ下に位置したときに、すなわち、ゲート３が開いたときに、所定長さの越流水深Δｈを形成できるように構成されている。
【００１２】
なお、ゲート３の支点３ａの部分、ゲート３の両側には、周知のトラフと同様に、水がトラフ１内に侵入しないようにするため、ゲート３の回動に支障を来さないように工夫されたゴムシートが設けられているが、ここでは図面を簡略化するために省略されている。また、図２において、トラフ１の左右いずれかには、トラフ１内のスカムを沈殿池ａ外に排出する排出管が接続されているが、ここでは省略されている。
【００１３】
図２中、ＧＬは、ゲート３の先端３ｂの辺で形成された越流壁面を表している。この越流壁面ＧＬは、沈殿池ａの水面ＷＬと平行状態にあれば、ゲート３が開いたときに、ゲート３の全長に渡って同一の越流水深を得ることができる。
【００１４】
ところで、今、沈殿池本体が傾いて沈殿池の水面ＷＬが図２の鎖線で示される水面ＷＬ′に示されるように変化したときは、トラフ１は、ボルトＢ及びナットＮを介して越流壁面ＧＬをその水面ＷＬ′と平行となるように調整される。もちろん、この調整に当っては、背面１′に設けられているナットｎは緩めた状態で行われる。
【００１５】
すなわち、背面１′のナットｎを緩めた後、ボルトＢ，ＢのナットＮ，Ｎを調整して、トラフ１の左側が図２の矢印（丸１）に示されるように、下方へ移動するように、又は、トラフ１の右側が図２の矢印（丸２）に示されるように、上方へ移動するように、あるいは、左右両側を上述のように調整して、トラフ１の越流壁面ＧＬ（ゲート３の先端３ｂの辺）と水面ＷＬ′とが平行となるように調整される。したがって、ゲート３が開いたときは、ゲート３の全長に渡って均一な越流水深を形成することができる。
【００１６】
上述のように、トラフ１は、沈殿池本体が変動したときは、その変動に合わせて極めて簡単に設置高さを調整することができ、従来のような大掛かりな工事が不要となる特長がある。
【００１７】
なお、上述の例では、トラフ１の高さ調整は、トラフ１をフレームＦに垂下しているボルトで行ったが、トラフをフレームに載置し、その載置高さをボルト・ナットにより調整するようにしてもよい。
【００１８】
【発明の効果】
本発明に係るスカム除去装置は、沈殿池の水面に対するトラフの設置高さを調整する手段を、トラフの上部の前後左右の４カ所に設けられ、沈殿池の上方に設けられたフレームに貫通されたボルトと、前記フレームの上側と下側において前記ボルトに螺合されたナットとから構成し、そのナットの螺合位置の調整により前記ボルトの前記フレームに対する固定位置を変更可能なものとしたので、沈殿池本体が変動したとき、あるいは、水位が変動したときでも、その変動に合わせて、ナットの螺合位置の調整によりトラフの左右両側の高さ及び前後の高さを含めて、極めて簡単にトラフの設置高さを調整してゲートの全長に渡って均一な越流水深を得ることができる。
【図面の簡単な説明】
【図１】  本発明の一実施の形態に係るスカム除去装置の縦断面図である。
【図２】  図１のＡ−Ａ線断面図である。
【符号の説明】
１    トラフ
２    支持片
３    ゲート
３ａ  支点
３ｂ  先端
ＷＬ  水面
ＧＬ  越流壁面
【図１】
0004107748.tif 000002
【図２】
0004107748.tif 000003